(57)【要約】【課題】従来の受信装置および送信装置との互換性を確保しつつ、１本の信号線を接続するだけで簡易な中継システムを構築できる受信装置および送信装置を提供する。【解決手段】ＭＰＥＧ−２等の符号化方式で画像を符号化して得られた画像符号を受信し、前記画像符号からなる１８８ワードの符号、および前記画像符号あるいはパリティ符号以外の有意な符号からなる１６ワードの符号からなる、合わせて２０４ワードの符号を１パケットの符号とする多パケットの形式信号にして出力する信号発生回路８’を備えたことを特徴とする受信装置２’。【選択図】　図１
2004112447.tif 000002
【特許請求の範囲】
【請求項１】
ＭＰＥＧ−２等の符号化方式で画像を符号化して得られた画像符号を受信し、前記画像符号からなる１８８ワードの符号、および前記画像符号あるいはパリティ符号以外の有意な符号からなる１６ワードの符号からなる、合わせて２０４ワードの符号を１パケットの符号とする多パケットの形式信号にして出力する信号発生回路を備えたことを特徴とする受信装置。
【請求項２】
ＭＰＥＧ−２等の符号化方式で画像を符号化して得た画像符号からなる１８８ワードの符号、および前記画像符号あるいはパリティ符号以外の有意な符号からなる１６ワードの符号からなる、合わせて２０４ワードの符号を１パケットの符号とする多パケットの形式信号を受信し、前記１パケット２０４ワードの符号の内、前記画像符号からなる１８８ワードの符号と、前記画像符号あるいはパリティ符号以外の有意な符号からなる１６ワードの符号を分離し、前記１８８ワードを前記画像符号として出力し、前記１６ワードを前記画像符号あるいはパリティ符号以外の有意な符号として出力する信号処理回路を備えたことを特徴とする送信装置。
【請求項３】
ＭＰＥＧ−２等の符号化方式で画像を符号化して得られた画像符号を受信し、前記画像符号からなる１８８ワードの符号、およびＴＭＣＣ符号とＡＣ符号またはさらにダミー符号からなる１６ワードの符号からなる、合わせて２０４ワードの符号を１パケットの符号とする多パケットの形式信号にして出力する信号発生回路を備えたことを特徴とする受信装置。
【請求項４】
ＭＰＥＧ−２等の符号化方式で画像を符号化して得た画像符号からなる１８８ワードの符号、およびＴＭＣＣ符号とＡＣ符号またはさらにダミー符号からなる、合わせて２０４ワードの符号を１パケットの符号とする多パケットの形式信号を受信し、前記１パケット２０４ワードの符号の内、前記画像符号からなる１８８ワードの符号と、前記画像符号あるいはパリティ符号以外の有意な符号からなる１６ワードの符号を分離し、前記１８８ワードを前記画像符号として出力し、前記１６ワードを前記ＴＭＣＣ符号とＡＣ符号またはさらにダミー符号として出力する信号処理回路と、分離した前記画像符号および前記ＴＭＣＣ符号とＡＣ符号を入力し前記ＴＭＣＣ符号の指定に従った変調をして出力する変調回路とを備えたことを特徴とする送信装置。
【請求項５】
請求項１から４のうちいずれか一つの項に記載の受信装置または送信装置において、前記多パケットの形式信号は、ＤＶＢ−ＡＳＩあるいはＤＶＢ−ＳＳＩに準拠した形式信号であることを特徴とする受信装置または送信装置。
【発明の詳細な説明】
【０００１】
【発明の属する技術分野】
本発明は、ＭＰＥＧ−２等の符号化方式で画像を符号化して得られた画像符号を受信し受信した画像符号をＤＶＢ−ＡＳＩあるいはＤＶＢ−ＳＳＩに準拠して出力する受信装置および該該受信装置からの画像符号を送信する送信装置に関する。
【０００２】
【従来の技術】
近年、画像伝送装置の分野では、アナログの画像信号をそのままＦＭ変調して伝送する方式から、ＭＰＥＧ−２等の符号化方式で画像を符号化し、得られた画像符号をディジタル変調方式で伝送する伝送装置に移行しつつある。その代表的なものに、変調方式としてＯＦＤＭ方式を採用した欧州や日本を初めとする各国の次世代のテレビ放送方式がある。この内、日本におけるＵＨＦ帯の地上ディジタル放送の開発動向と方式についても開発されている（例えば、非特許文献１参照。）。ＭＰＥＧ−２等の符号化方式で画像を符号化して伝送する伝送装置は、この他ＦＰＵ、無線ＬＡＮ等の分野においても多くの応用研究が進められている。
【０００３】
ところで、ＦＰＵ等の無線装置では、図２に示す様に、送信装置１で、ＭＰＥＧ−２等の符号化方式で画像を符号化して得られた画像符号の電波を送信するが、その際、ビル等で電波が遮断されるのを回避するため、例えばビル上に設けた簡易な中継システムの受信装置２で一旦無線を受けて画像符号を復号した後、簡易な中継システムの送信装置３で再び送信して、回線を確保することが頻繁に行われる。
【０００４】
以下、この簡易な中継システムの構成方法をＯＦＤＭ方式のＦＰＵの場合を例に更に詳しく説明する。
【０００５】
ＯＦＤＭ方式は、図３に模式的に示す様に、一定の伝送帯幅内に互いに直交する複数本、例えば約１４００本の搬送波（キャリア）を設け、情報符号や同期確立用のパイロット信号等により、指定キャリアを６４ＱＡＭ等の変調方式で変調して伝送する方式である。この時、情報符号に因る各キャリア信号の変更は、一定のシンボル期間Ｔｓ毎に全てのキャリアで同時に実施する。
【０００６】
また、ディジタル伝送装置の特徴を生かし、伝送路の状況の変化に応じてその状況に適した変調方式に適宜変更しつつ伝送する使用方法が取られるが、使い勝手としては、送信装置の変調方式の変更に伴い、受信装置の変調方式も自動的に変更されるのが好ましい。
【０００７】
この様な使用方法を可能にするため、伝送する情報符号としては、通常、目的とする画像符号の他に、使用している変調方式等の復調処理で必要になる情報を伝えるＴＭＣＣ（Ｔｒａｎｓｍｉｓｓｉｏｎ　ａｎｄ　Ｍｕｌｔｉｐｌｅｘｉｎｇ　Ｃｏｎｆｉｇｕｒａｔｉｏｎ　Ｃｏｎｔｒｏｌ）符号も同時に伝送するように構成している。あるいは更に、伝送装置の操作者等が自由に使用できるＡＣ（Ａｕｘｉｌｉａｒｙ　Ｃｈａｎｎｅｌ）符号を伝送することもある。ＯＦＤＭ方式の場合、通常、画像符号，ＴＭＣＣ，ＡＣ等に対して専用のキャリアを設定して変調し、伝送する。
【０００８】
図４は、このＯＦＤＭ方式の受信装置および送信装置を用いた簡易な中継システムの構成を示したものである。
【０００９】
アンテナ５で受信したＲＦ信号は受信装置２の復調回路６に入力されて復調された後、復号回路７で復号される。復号された情報符号である画像符号とＴＭＣＣ符号とＡＣ符号はそれぞれ独立に出力される。この内、ＴＭＣＣ符号は再び復調回路６と復号回路７に入力され、正しい変調方式で復号された情報符号である画像符号とＡＣ符号が出力される。
【００１０】
復号回路７から出力された画像符号は出力信号発生回路８に入力され、各種の装置間を自由に接続できるように決められた共通の信号形式に従った信号に変換され、出力端子９から受信装置の外に出力される。
【００１１】
復号回路７から出力されたＡＣ符号も一定の規格に従う信号に変換して出力しても良いが、通常はそのまま出力端子１０から受信装置の外に出力される。
【００１２】
出力端子９から出力される画像符号に対する信号形式としては、ＤＶＢ−ＡＳＩあるいはＤＶＢ−ＳＳＩに準拠した信号形式が使用されることが多い（例えば、非特許文献２参照。）。
【００１３】
この信号形式のうち、本発明に関係する部分を要約して記載すると以下の様になる。
【００１４】
すなわち、図５（ａ）の様に同期ワード（ｗｏｒｄ）を含む画像符号１８８ワード（ｗｏｒｄ）に訂正符号のパリティ符号からなる１６ワード（ｗｏｒｄ）の符号を合わせた２０４ワード（ｗｏｒｄ）の符号を１パケットの符号とし、この１パケットの符号を一定のルールに従って変調した信号形式である。ＤＶＢ−ＡＳＩ及びＤＶＢ−ＳＳＩには各種のモードがあり、その中に、図５（ａ）の様に１６ワードの符号に正しいパリティ符号を割り当てて変調するモードと、図５（ｂ）の様にこの１６ワードの符号に無意味なダミー符号を割り当てて変調するモードがある。図４の様な受信装置と他の装置を接続する際、この接続間で符号を誤る確率は極めて低く符号誤りを訂正する必要が無いため、通常は図５（ｂ）の様に１６ワードの符号に無意味なダミー符号を割り当てて変調するモードが用いられる。なお、説明の都合上、このモードの信号形式の信号をＤＶＢダミー形式信号と記す。
【００１５】
一方、図４の送信装置３では、受信装置２と逆の信号処理を実施する。すなわち、受信装置２の出力端子９と送信装置３の入力端子１２を接続し、受信装置２の出力端子９から出力されたＤＶＢダミー形式信号を送信装置３の入力信号処理回路１３に入力する。入力信号処理回路１３では、入力されたＤＶＢダミー形式信号を復調して得られる図５（ｂ）の２０４ワードの符号を１６ワードの無意味なダミー符号の部分と残りの１８８ワードの画像符号の部分に分離し、分離したそれぞれの符号を出力する。ただし、ダミー符号は元々無意味な符号なので、通常は出力せずそのまま捨てる。
【００１６】
入力信号処理回路１３から出力された画像符号は変調回路１４に入力され、ＯＦＤＭ信号に変調される。この時、受信装置２で受信されたＡＣ符号をそのまま中継して伝送する場合は、受信装置２の出力端子１０と送信装置３の入力端子１５を接続し、受信装置２の出力端子１０から出力されたＡＣ符号を変調回路１４に入力し、画像符号と共にＯＦＤＭ信号に変調する。
【００１７】
この時、送信装置３の変調回路１４で実施する変調モードは、受信された符号と同じ伝送レートを確保するため、受信装置２の復調回路６と復号回路７に設定された変調モードと同じモードで変調する必要がある。この変調モードの設定を自動化するため、受信装置２からＴＭＣＣ符号を外部に出力する出力端子１１と、このＴＭＣＣ符号を送信装置３に入力する入力端子１６を設ける。そして、この受信装置２の出力端子１１と送信装置３の入力端子１６を接続し、受信装置２の出力端子１１から出力されるＴＭＣＣ符号を送信装置３の変調回路１４に入力する。そして、入力されたＴＭＣＣ符号の指定に従って、変調回路１４の変調モードを受信装置と同じ変調モードに設定して変調し、変調されたＯＦＤＭ信号であるＲＦ信号をアンテナ１７を通して送信する。
【００１８】
そのため、この図４の簡易な中継システムを用いると、受信装置２で受信されるＯＦＤＭ信号と同じ構成のＯＦＤＭ信号が再び送信装置３から送信される。また、この中継システムより前段の送信装置の変調モードを変更すると、中継システムの受信装置および送信装置の変調モードも自動的に変更される簡易な中継システムを構築できる。
【００１９】
【非特許文献１】
「映像情報メディア学会誌」１９９８年、Ｖｏｌ．５２，Ｎｏ．１１
【非特許文献２】
「ＥＴＳＩ」　ＥＮ　５００８３−９　“Ｃａｂｌｅｄ　ｄｉｓｔｒｉｂｕｔｉｏｎ　ｓｙｓｔｅｍｓ　ｆｏｒ　ｔｅｌｅｖｉｓｉｏｎ，　ｓｏｕｎｄ　ａｎｄ　ｉｎｔｅｒａｃｔｉｖｅ　ｍｕｌｔｉｍｅｄｉａ　ｓｉｇｎａｌｓ　Ｐａｒｔ　９　：Ｉｎｔｅｒｆａｃｅ　ｆｏｒ　ＣＡＴＶ／ＳＭＡＴＶ　ｈｅａｄｅｎｄｓ　ａｎｄ　ｓｉｍｉｌａｒ　ｐｒｏｆｅｓｓｉｏｎａｌ　ｅｑｕｉｐｍｅｎｔ　ｆｏｒ　ＤＶＢ／ＭＰＥＧ−２　ｔｒａｎｓｐｏｒｔ　ｓｔｒｅａｍｓ”
【００２０】
【発明が解決しようとする課題】
ところで、図４の従来の簡易な中継システムにおいても、受信装置および送信装置の変調モードが自動的に切換えられる中継システムを構築することができるが、この中継システムを構築するには、受信装置と送信装置を接続するために、画像符号であるＤＶＢダミー形式信号を接続する信号線とＡＣ符号を接続する信号線とＴＭＣＣ符号を接続する信号線の、少なくとも３本の信号線を接続する必要がある。
【００２１】
そのため、中継システムの構築作業が煩わしくなる上、複数の信号線の繋ぎ間違えや繋ぎ忘れ等による事故の発生確率が増大し、使い勝手になお不満が残る。
【００２２】
なお、上記は、画像符合とＴＭＣＣ符号とＡＣ符号について説明したが、なにもそれに限らず、画像符合と、画像符号あるいはパリティ符号以外の有意な符号の組み合わせであっても同様である。
【００２３】
本発明の目的は、上記の問題を解決し、従来の受信装置および送信装置との互換性を確保しつつ、１本の信号線を接続するだけで簡易な中継システムを構築できる受信装置および送信装置を提供することにある。
【００２４】
【課題を解決するための手段】
本発明は、ＭＰＥＧ−２等の符号化方式で画像を符号化して得られた画像符号を受信し、前記画像符号からなる１８８ワードの符号、および前記画像符号あるいはパリティ符号以外の有意な符号からなる１６ワードの符号からなる、合わせて２０４ワードの符号を１パケットの符号とする多パケットの形式信号にして出力する信号発生回路を備えたことを特徴とする受信装置である。
【００２５】
本発明は、ＭＰＥＧ−２等の符号化方式で画像を符号化して得た画像符号からなる１８８ワードの符号、および前記画像符号あるいはパリティ符号以外の有意な符号からなる１６ワードの符号からなる、合わせて２０４ワードの符号を１パケットの符号とする多パケットの形式信号を受信し、前記１パケット２０４ワードの符号の内、前記画像符号からなる１８８ワードの符号と、前記画像符号あるいはパリティ符号以外の有意な符号からなる１６ワードの符号を分離し、前記１８８ワードを前記画像符号として出力し、前記１６ワードを前記画像符号あるいはパリティ符号以外の有意な符号として出力する信号処理回路を備えたことを特徴とする送信装置である。
【００２６】
本発明は、ＭＰＥＧ−２等の符号化方式で画像を符号化して得られた画像符号を受信し、前記画像符号からなる１８８ワードの符号、およびＴＭＣＣ符号とＡＣ符号またはさらにダミー符号からなる１６ワードの符号からなる、合わせて２０４ワードの符号を１パケットの符号とする多パケットの形式信号にして出力する信号発生回路を備えたことを特徴とする受信装置である。
【００２７】
本発明は、ＭＰＥＧ−２等の符号化方式で画像を符号化して得た画像符号からなる１８８ワードの符号、およびＴＭＣＣ符号とＡＣ符号またはさらにダミー符号からなる、合わせて２０４ワードの符号を１パケットの符号とする多パケットの形式信号を受信し、前記１パケット２０４ワードの符号の内、前記画像符号からなる１８８ワードの符号と、前記画像符号あるいはパリティ符号以外の有意な符号からなる１６ワードの符号を分離し、前記１８８ワードを前記画像符号として出力し、前記１６ワードを前記ＴＭＣＣ符号とＡＣ符号またはさらにダミー符号として出力する信号処理回路と、分離した前記画像符号および前記ＴＭＣＣ符号とＡＣ符号を入力し前記ＴＭＣＣ符号の指定に従った変調をして出力する変調回路とを備えたことを特徴とする送信装置である。
【００２８】
本発明は、上記のうちいずれか一つの受信装置または送信装置において、前記多パケットの形式信号は、ＤＶＢ−ＡＳＩあるいはＤＶＢ−ＳＳＩに準拠した形式信号であることを特徴とする受信装置または送信装置である。
【００２９】
【発明の実施の形態】
本発明の第１の実施の形態による受信装置および送信装置を用いて構築する簡易な中継システムを図１に示す。
【００３０】
図４の従来との第１の相違点は、受信装置２’の出力信号発生回路８’で変調するＤＶＢ−ＡＳＩ及びＤＶＢ−ＳＳＩの信号形式のモードを、図５（ｂ）の１６ワードの符号に無意味なダミー符号を割り当てて変調するモードのＤＶＢダミー形式信号から図５（ａ）の１６ワードの符号に正しいパリティ符号を割り当てて変調するモードに変更すると共に、新たにＴＭＣＣ＆ＡＣ符号合成回路１８を設けた点である。
【００３１】
第２の相違点は、送信装置３’の入力信号処理回路１３’で復調するＤＶＢ−ＡＳＩ及びＤＶＢ−ＳＳＩの信号形式のモードを、出力信号発生回路８’と同様に図５（ａ）の１６ワードの符号に正しいパリティ符号が割り当てられた信号形式の信号を復調するモードに変更すると共に、新たにＴＭＣＣ＆ＡＣ符号分離回路１９を設けた点である。
【００３２】
そこで、以下、この相違点を中心に説明する。なお、説明の都合上、図５（ａ）の１６ワードの符号に正しいパリティ符号を割り当てて変調するモードの信号形式の信号を、ＤＶＢパリティ形式信号と記す。
【００３３】
図１において、従来の受信装置２と同様にして復号回路７で復号されて出力されたＡＣ符号とＴＭＣＣ符号は、新たに設けたＴＭＣＣ＆ＡＣ符号合成回路１８に入力される。ただし、ＴＭＣＣ符号は、図４の受信装置と同様に再び復調回路６と復号回路７にも入力され、正しい変調方式で復号されるように復調回路６と復号回路７の変調モードを設定し直す。
【００３４】
ＴＭＣＣ＆ＡＣ符号合成回路１８に入力されたＡＣ符号とＴＭＣＣ符号は、例えば図６（ａ）の様に一定のルールに従って１６ワード単位の符号列に並べ替えられ、出力される。
【００３５】
ＴＭＣＣ＆ＡＣ符号合成回路１８で並べ替えられて出力された符号は、出力信号発生回路８’のパリティ符号入力端子に入力されて正しいパリティ符号の代わりに用いられ、復号回路７から別に入力された１８８ワードの画像符号と共に、図５（ａ）の様に、２０４ワードの符号に結合され、ＤＶＢパリティ形式信号として出力端子９から受信装置の外部に出力される。
【００３６】
なお、ＴＭＣＣ＆ＡＣ符号合成回路１８で実施する並べ替えの一定のルールは、前もって定められたものであれば任意で良い。例えば、図６（ａ）の様に１パケットの１６ワードの始めの１ワードにＴＭＣＣ符号を割り付け、残りの１５ワードにＡＣ符号を割り付ける様にしても良い。
【００３７】
また、ＴＭＣＣ符号に対してＡＣ符号の符号数が圧倒的に多い時は、図６（ｂ）の様に、前もって定める一定数のパケット毎にその１６ワードの始めの１ワードにＴＭＣＣ符号を割り当て、残りの１５ワード及びこれに続く一定数のパケット（図６（ｂ）の場合はこれに続く１パケット）の１６ワードには全てＡＣ符号を割り当てるようにしても良い。
【００３８】
また、全ての１６ワードにＴＭＣＣ符号とＡＣ符号を割り当てるのではなく、図６（ｃ）の様に、その一部のワードに無意味なダミー符号を割り当てても良い。
【００３９】
また、逆に受信装置で受信したＡＣ符号を前もって定める２つのグループ、例えばＡＣ１符号列とＡＣ２符号列に分け、図６（ｄ）の様にその一方、例えばＡＣ１符号列のみＴＭＣＣ符号と共に１６ワードに割り当て、残りのＡＣ２符号列は出力端子１０から出力するようにしても良い。この形態に就いては後述する。
【００４０】
図６（ｂ）や（ｃ）の様に一定数のパケットを周期（図の場合は２パケット周期）で割り当てる符号構成を繰り返す時は、その周期の同期を確立するための同期用のワードを挿入しておく必要がある。しかし、上記の割り当て周期を、１８８ワードの画像符号に一定のパケット周期で挿入されている同期ワードの周期と同じ周期に設定しておくことにより、１８８ワードの画像符号の同期ワードを利用して、ＴＭＣＣ符号とＡＣ符号の割り付け周期の同期を確立するようにすることもできる。
【００４１】
図１の受信装置２’の出力端子９から出力されたＤＶＢパリティ形式信号は送信装置３’の入力端子１２を通して入力信号処理回路１３’に入力される。そして、入力信号が１６ワードの符号に正しいパリティ符号が割り当てられた信号形式のＤＶＢ−ＡＳＩあるいはＤＶＢ−ＳＳＩの信号形式のモードの信号であるものとして復調され、復調して得られた図５（ａ）の符号の内の１８８ワードの画像符号の部分の符号と１６ワードのパリティ符号の部分の符号が分離されて出力される。
【００４２】
入力信号処理回路１３’から出力された符号の内、１６ワードのパリティ符号として分離された部分の符号は新たに設けたＴＭＣＣ＆ＡＣ符号分離回路１９に入力され、受信装置２’のＴＭＣＣ＆ＡＣ符号合成回路１８と逆の手順でＴＭＣＣ符号とＡＣ符号に分離されて出力される。
【００４３】
ＴＭＣＣ＆ＡＣ符号分離回路１９から出力されたＴＭＣＣ符号とＡＣ符号はスイッチ２０とスイッチ２１を通して変調回路１４に入力される。
【００４４】
スイッチ２０とスイッチ２１は従来の送信装置との互換性を確保するために設けたものであり、入力端子１５と入力端子１６から入力されたＡＣ符号とＴＭＣＣ符号を、ＴＭＣＣ＆ＡＣ符号分離回路１９から出力されたＡＣ符号とＴＭＣＣ符号に切替えるスイッチであり、操作スイッチ２２を用いて操作される。
【００４５】
スイッチ２０から出力されたＡＣ符号は、入力信号処理回路１３’から出力された１８８ワードの画像符号と共に変調回路１４に入力される。そして、スイッチ２１から入力されたＴＭＣＣ符号の指定に従って、変調回路１４の変調モードを受信装置２’と同じ変調モードに設定して変調し、変調されたＯＦＤＭ信号であるＲＦ信号をアンテナ１７を通して送信する。
【００４６】
従って、従来の受信装置および送信装置では少なくとも３本の信号線を接続しなければ簡易な中継システムを構築できなかったのに対し、本実施の形態による受信装置および送信装置を用いると、ＤＶＢパリティ形式信号を送るための１本の信号線を接続するだけで、従来の簡易な中継システムと同じ機能を有する簡易な中継システムを構築することができるようになる。そのため、中継システムの構築作業が容易で、しかも接続する必要がある信号線が１本であるため繋ぎ間違えや繋ぎ忘れ等による事故が発生する心配が無く、使い勝手を向上することができる。
【００４７】
また、画像符号を接続する信号形式が従来のＤＶＢダミー形式信号からＤＶＢパリティ形式信号に変わるものの、その構造の差は小さく、挿入したダミー符号も含めた符号の伝送レートは同一で、出力信号発生回路８’と入力信号処理回路１３’を駆動するクロック周波数は従来の回路と同じで良い。しかも、ＤＶＢ−ＡＳＩあるいはＤＶＢ−ＳＳＩに準拠した市販されている変換ＩＣは、通常、簡単なモード変更でこの２種の信号形式を切替えることができるため、従来のＤＶＢダミー形式信号から本実施の形態によるＤＶＢパリティ形式信号への切替えは、操作スイッチあるいは制御符号１つで容易に切替えることができる。
【００４８】
また、従来のＤＶＢダミー形式信号を入力すべき送信装置に、本実施の形態によるＤＶＢパリティ形式信号を誤って入力しても、ＤＶＢパリティ形式信号に挿入されている１６ワードの有意な符号が単に捨てられるだけで装置を損傷することが無いので、安心して取り扱うことができる。
【００４９】
ただし、この様な場合も設定が自動的に実施されるように構成しておくのが好ましい。その方法としては、例えばＴＭＣＣ符号の受信の確認用のヘッダー符号を利用し、ＴＭＣＣ＆ＡＣ符号分離回路１９から出力されたＴＭＣＣ符号と入力端子１６から入力されたＴＭＣＣ符号のそれぞれのＴＭＣＣ符号の存在を確認し、操作スイッチ２２の信号の代わりにＴＭＣＣ符号の存在の確認信号を用いてスイッチ２０とスイッチ２１を切替える様にすれば良い。
【００５０】
この時、両方のＴＭＣＣ符号の存在が確認された場合は、入力端子１６から入力されたＴＭＣＣ符号を優先するようにしておけば、例え誤って従来の簡易な中継システムの接続方法で接続しても、問題なく動作する良好な使い勝手を得ることができるようになる。
【００５１】
また、送信装置３’においては、採用したＴＭＣＣ符号が入力されている入力端子の近傍のランプを点灯する等の方法で採用しているＴＭＣＣ符号を表示する様にすることにより、さらに使い勝手を向上させることができる。
【００５２】
なお、上記の説明は、画像信号とＴＭＣＣ符号とＡＣ符号について説明したが、なにもそれに限らず、画像信号と、画像符号あるいはパリティ符号以外の有意な符号の組み合わせであっても同様の効果を得ることができる。
【００５３】
この様に、本実施の形態による受信装置および送信装置を用いると、１本の信号線を接続するだけで、従来の受信装置および送信装置を用いた簡易な中継システムと同じ機能を有する簡易な中継システムを構築することができるようになる。そのため、中継システムの構築作業が容易で、しかも繋ぎ間違えや繋ぎ忘れ等による事故の発生の心配が無い簡易な中継システムを構築することができる、使い勝手の良い受信装置および送信装置を得ることができる。
【００５４】
本発明の第２の実施の形態による受信装置および送信装置を用いて構築する簡易な中継システムを図７に示す。
【００５５】
本実施の形態は、第１の実施の形態で触れた、ＡＣ符号をＡＣ１符号列とＡＣ２符号列の２つのグループに分けて伝送する場合の１つのバリエーションを説明するものであり、新たにＡＣ１＆ＡＣ２分離回路２３とＡＣ１＆ＡＣ２合成回路２４が設けられているが、本質的には第１の実施の形態と変わらない。そこで、以下、この新設した回路に関する点のみ説明する。
【００５６】
図７において、第１の実施の形態と同様にして受信装置２’の復号回路７から出力されたＡＣ符号は新たに設けたＡＣ１＆ＡＣ２分離回路２３に入力され、ＡＣ１符号列とＡＣ２符号列の２つの符号列に分離して出力される。
【００５７】
この内、ＡＣ１符号列はそのままＴＭＣＣ＆ＡＣ符号合成回路１８に入力されて合成され、出力信号発生回路８’で図６（ｄ）に示すＤＶＢパリティ形式信号に変換して出力端子９から出力される。
【００５８】
一方、ＡＣ１符号列と共にＡＣ１＆ＡＣ２分離回路２３から出力されたＡＣ２符号列はスイッチ２５を通して出力端子１０から出力される。そして、出力端子１０から出力されたＡＣ２符号列は図２の送信装置１と受信装置２’間で必要になる情報として解読され、利用される。スイッチ２５は、受信装置２’に伝送されてきたＡＣ符号を全て出力端子１０から出力して利用するモードを設定できるように設けたものである。
【００５９】
受信装置２’の出力端子９から出力されたＤＶＢパリティ形式信号は接続された送信装置３’の入力端子１２を通して入力信号処理回路１３’に入力され、第１の実施の形態と同様にして１８８ワードの画像符号部分と１６ワードのパリティ符号部分に分離されて出力される。出力された１６ワードのパリティ符号部分の符号はＴＭＣＣ＆ＡＣ符号分離回路１９に入力され、ＴＭＣＣ符号とＡＣ１符号列に分離されて出力される。
【００６０】
一方、図２の送信装置３’および受信装置４間で必要になる情報からなるＡＣ２’符号列を、ＴＭＣＣ＆ＡＣ符号分離回路１９から出力されるＡＣ１符号列と共に、入力端子１５を通して新たに設けたＡＣ１＆ＡＣ２合成回路２４に入力する。
【００６１】
ＡＣ１＆ＡＣ２合成回路２４では、入力されたＡＣ１符号列とＡＣ２’符号列を合成して１つのＡＣ符号に戻して出力する。
【００６２】
ＡＣ１＆ＡＣ２合成回路２４で合成されて出力されたＡＣ符号は第１の実施の形態と同様にしてスイッチ２０を通して変調回路１４に入力され、アンテナ１７から送信される。
【００６３】
なお、ＴＭＣＣ＆ＡＣ符号分離回路１９から出力された符号と入力端子１５から入力された符号の選択を、ＴＭＣＣ符号とＡＣ符号で別々に選択できるようにするため、スイッチ２１を切替える操作スイッチを操作スイッチ２６に分離した。
【００６４】
この様に、本実施の形態による受信装置および送信装置では、第１の実施の形態と同様に１本の信号線を接続するだけで、従来の受信装置および送信装置を用いた簡易な中継システムと同じ機能を有する簡易な中継システムを構築することができるだけでなく、図２の送信装置１から受信装置４まで一期通貫して伝送するＡＣ１符号列と送信装置１から受信装置２’にローカルに伝送するＡＣ２符号列を使い分けて使用できるので、更に使い勝手の良い簡易な中継システムを構築することができる、使い勝手の良い受信装置および送信装置を得ることができる。
【００６５】
以上述べたように、本発明による受信装置および送信装置を用いると、１本の信号線を接続するだけで、従来の受信装置および送信装置を用いた簡易な中継システムと同じ機能を有する簡易な中継システムを構築することができるようになる。そのため、中継システムの構築作業が容易で、しかも繋ぎ間違えや繋ぎ忘れ等による事故の発生の心配が無い簡易な中継システムを構築することができる、使い勝手の良い受信装置および送信装置を得ることができる。
【００６６】
【発明の効果】
本発明によれば、従来の受信装置および送信装置との互換性を確保しつつ、１本の信号線を接続するだけで簡易な中継システムを構築できる受信装置および送信装置を得ることができる。
【図面の簡単な説明】
【図１】本発明の第１の実施の形態の受信装置および送信装置を用いた簡易な中継システムの構成を示す図である。
【図２】ＦＰＵの利用形態を説明する図である。
【図３】ＯＦＤＭ方式を説明する図である。
【図４】従来の受信装置および送信装置を用いた簡易な中継システムの構成を示す図である。
【図５】ＤＶＢ−ＡＳＩあるいはＤＶＢ−ＳＳＩに準拠した信号形式を説明するための図である。
【図６】第１の実施の形態のＴＭＣＣ符号とＡＣ符号の合成を説明するための図である。
【図７】本発明の第２の実施の形態の受信装置および送信装置を用いた簡易な中継システムの構成を示す図である。
【符号の説明】
１，３，３’：送信装置、２，２’，４：受信装置、５，１７：アンテナ、６：復調回路、７：復号回路、８，８’：出力信号発生回路、９，１０，１１：出力端子、１２，１５，１６：入力端子、１３，１３’：入力信号処理回路、１４：変調回路、１８：ＴＭＣＣ＆ＡＣ符号合成回路、１９：ＴＭＣＣ＆ＡＣ符号分離回路、２０，２１，２５：スイッチ、２２，２６：操作スイッチ、２３：ＡＣ１＆ＡＣ２分離回路、２４：ＡＣ１＆ＡＣ２合成回路。
【図１】
2004112447.tif 000003
【図２】
2004112447.tif 000004
【図３】
2004112447.tif 000005
【図４】
2004112447.tif 000006
【図５】
2004112447.tif 000007
【図６】
2004112447.tif 000008
【図７】
2004112447.tif 000009